(57)【特許請求の範囲】
【請求項１】
ボウル部の後端部にボウル部と一体に立ち上がり壁部を上方に向けて突出し、該立ち上がり壁部の前面部の上端に水栓関連部材を突出して設け、該水栓関連部材の少なくとも立ち上がり壁部の前面部の上端からの突出基部の上面を水平上面とし、立ち上がり壁部の上端面にミラーキャビネットの下面部の後端部を載設すると共に水栓関連部材の上記突出基部の水平上面をミラーキャビネットの下面部に当接して成ることを特徴とする洗面化粧台。
【請求項２】
水栓関連部材の少なくとも立ち上がり壁部の前面部の上端からの突出基部の縦断面形状が略四角形状であることを特徴とする請求項１記載の洗面化粧台。
【請求項３】
上記水平上面とミラーキャビネットの下面部との間に弾性シートを介在させて密接して成ることを特徴とする請求項１又は請求項２記載の洗面化粧台。
【請求項４】
水栓関連部材が吐水・止水操作部であり、吐水・止水操作部の立ち上がり壁部の前面部上端からの突出基部の前面に吐水・止水を操作するための操作レバーを設け、該操作レバーの下端部を突出基部の前面の下端より下方に位置させて成ることを特徴とする請求項１乃至請求項３のいずれか一項に記載の洗面化粧台。
【請求項５】
水栓関連部材が吐水部であることを特徴とする請求項１乃至請求項３のいずれか一項に記載の洗面化粧台。
【発明の詳細な説明】
【技術分野】
【０００１】
本発明は、洗面化粧台に関するものである。
【背景技術】
【０００２】
従来、洗面化粧台のバックガードと称される立ち上がり壁部の上下方向の略中央部に吐水部、吐水部からの吐水、止水の操作をするための操作部等の水栓関連部材を突出して設けること、あるいは、立ち上がり壁部の上端面に載置するミラーキャビネットの立ち上がり壁部よりも前方に突出した部分の下面部に水栓関連部材を設けることが特許文献１により知られている。
【０００３】
ところが、上記従来例において、立ち上がり壁部の上下方向の下部、場合によっては中央部が水跳ねにより濡れることがある。特に、顔を手で洗う際、通常、ボウル部にできるだけ顔を近づけた状態で手で顔を洗うので、手から飛び散った水が立ち上がり部の上下方向の下部を濡らすことがあり、時によっては、立ち上がり部の上下方向の中央部も濡らすことがある。
【０００４】
したがって、立ち上がり壁部の上下方向の略中央部に水栓関連部材を設ける従来例にあっては、立ち上がり壁部の下部や中央部の水跳ねで濡れた箇所を拭く際に、水栓関連部材が邪魔になって立ち上がり部の下部や中央部が拭きにくいという問題があり、また、立ち上がり壁部の上下方向の略中央部に突出して設けた水栓関連部材も水はねにより濡れるが、水栓関連部材は形状が複雑であるため、濡れた水を綺麗に拭き取るのが難しく、また、水跳ねにより水栓関連部材が濡れると、汚れが付着しやすい。しかも、立ち上がり壁部の上下方向の略中央部に突出して設けた水栓関連部材の上面には埃が積もって汚れとして付着し易く、外観上も前方から見た場合、立ち上がり壁部の上下方向の略中央部に水栓関連部材が突出して見え、しかも、この水栓関連部材の上面の汚れが見えてしまい、外観上好ましくないという問題があった。また、水栓関連部材が立ち上がり壁部の上下方向の略中央部に突出しているため、洗髪をしたり、ボウル部で衣類を手洗いしたり、あるいはペットを洗ったりする際、立ち上がり壁部の上下方向の略中央部から突出している水栓関連部材が邪魔になるという問題がある。
【０００５】
そこで、本発明者は、できるだけ水栓関連部材が水跳ねによって濡れないようにするために、本発明に至る過程で、水栓関連部材を立ち上がり壁部の前面部の上端に設けることを考えた。しかしながら、この場合、水跳ねによって水栓関連部材が濡れるのが抑制できるが、水栓関連部材の上端とミラーキャビネとの下面部との間の隙間が狭くなって、水栓関連部材の上端に溜まった汚れの掃除がきわめてし難くなるのが判明した。特に、水栓関連部材が断面円状をしていると、ミラーキャビネとの下面部と水栓関連部材との間の隙間は水栓関連部材の上端に近づくほど狭くなり、この部分の掃除がより一層し難いという問題があることが判明した。
【０００６】
また、ミラーキャビネットの立ち上がり壁部よりも前方に突出した部分の下面部に水栓関連部材を設けたものにおいては、立ち上がり壁部の上下方向の下部、場合によっては中央部が水跳ねによって濡れた場合、立ち上がり壁部の濡れた箇所を拭き取る作業が水栓関連部材に邪魔されることなく容易にできるという特徴を有している。しかしながら、洗面台キャビネット側には排水の配管があるので、給水、排水を含め、洗面台キャビネット側に給排水の配管をまとめるのが配管施工上有利であるが、上記のように、上記のようにミラーキャビネット側に水栓関連部材を持ってくると、ミラーキャビネット側に給水配管が必要となり、ミラーキャビネットの施工が複雑となり、しかも、ミラーキャビネット内に給水配管を設けるため、ミラーキャビネットに設けられる収納部の容量が小さくなってしまう。特に、ミラーキャビネット内の下部には歯ブラシ等や化粧品等の毎日使用する小物を入れる収納部が必要であるが、このミラーキャビネット内の下部の収納スペースの容量が小さくなってしまう。
【特許文献１】特開２００１−６１６８５号公報
【発明の開示】
【発明が解決しようとする課題】
【０００７】
本発明は上記の従来の問題点に鑑みて発明したものであって、立ち上がり部の上下方向の下部や中央部が水跳ねにより濡れた場合に吐水部に邪魔されることなく容易に拭き取ることができ、また、洗髪をしたり、ボウル部で衣類等を手洗いしたり、ペットを洗ったりする際に水栓関連部材が邪魔にならずに使用勝手がよく、また、水栓関連部材の上面に汚れが溜まることがなく、水栓関連部材の掃除が簡単にでき、更に、前方から見た際に吐水部が目立ち難くて外観がよくなる洗面化粧台を提供することを課題とするものである。
【課題を解決するための手段】
【０００８】
上記課題を解決するために本発明に係る洗面化粧台は、ボウル部１の後端部にボウル部１と一体に立ち上がり壁部２を上方に向けて突出し、該立ち上がり壁部２の前面部の上端に水栓関連部材Ａを突出して設け、該水栓関連部材Ａの少なくとも立ち上がり壁部２の前面部の上端からの突出基部Ｂの上面を水平上面２０とし、立ち上がり壁部２の上端面にミラーキャビネット４の下面部の後端部を載設すると共に水栓関連部材Ａの上記突出基部Ｂの水平上面２０をミラーキャビネット４の下面部に当接して成ることを特徴とするものである。
【０００９】
このような構成とすることで、立ち上がり壁部２の前面の上下方向の下部、場合によっては中央部が水跳ねにより濡れることがあっても、立ち上がり壁部２の前面の下部や中央部の濡れた部分を拭く際に立ち上がり壁部２の前面から突出する水栓関連部材Ａに邪魔されることなく拭き取ることができる。また、洗髪をしたり、ボウル部１で衣類等を手洗いしたり、ペットを洗ったりする際に水栓関連部材Ａが邪魔にならないので、使いやすくなる。また、水栓関連部材Ａが水跳ねにより濡れ難い。また、水栓関連部材Ａの少なくとも立ち上がり壁部２の前面部の上端からの突出基部Ｂの上面を水平上面２０としてあるので、ミラーキャビネット４の下面部と突出基部Ｂとの間に隙間が生じることがなくて、この部分に埃等が溜まることがなく、狭い隙間に溜まった埃を掃除する必要がない。また、ミラーキャビネット４の下面部の後端部と立ち上がり壁部２の前面の上端部とのなすコーナ部分に水栓関連部材Ａが配置され、前方に立った使用者からはミラーキャビネット４の下端に隠れて目立ち難くなり、外観がよくなると共に、突出基部Ｂの水平上面２０がミラーキャビネット４の下面に当接しているので、立ち上がり壁部３の前面部上端に取付ける突出基部Ｂがミラーキャビネット４の下面の後端にも一体に取付けてあるような取付け形態となって、収まりがよくなる。
【００１０】
また、水栓関連部材Ａの少なくとも立ち上がり壁部２の前面部の上端からの突出基部Ｂの縦断面形状が略四角形状であることが好ましい。
【００１１】
このような構成とすることで、突出基部Ｂの側面や下面の掃除がしやすく、特に、側面の掃除がしやすくなる。
【００１２】
また、水平上面２０とミラーキャビネット４の下面部との間に弾性シート５３を介在させて密接することが好ましい。
【００１３】
このような構成とすることで、ミラーキャビネット４の下面部が成形誤差により多少波打っていたり、傾いたとしても、弾性シート５３を介して突出基部Ｂの水平上面２０とミラーキャビネット４の下面部との間に隙間が生じないようにできる。
【００１４】
また、水栓関連部材Ａが吐水・止水操作部２Ａであり、吐水・止水操作部２Ａの立ち上がり壁部２の前面部上端からの突出基部Ｂの前面に吐水・止水を操作するための操作レバー５２を設け、該操作レバー５２の下端部を突出基部Ｂの前面の下端より下方に位置させることが好ましい。
【００１５】
このような構成とすることで、吐水・止水操作部２Ａの突出基部Ｂの水平上面２０とミラーキャビネット４の下面部との間に隙間がないように取付けることができるのに加え、操作レバー５２の操作性が良くなる。
【００１６】
また、水栓関連部材Ａが吐水部１Ａであることが好ましい。
【００１７】
このような構成とすることで、吐水部１Ａの突出基部Ｂの水平上面２０とミラーキャビネット４の下面部との間に隙間がないように取付けることができる
【発明の効果】
【００１８】
本発明は、上記のように、立ち上がり壁部の前面部の上端に水栓関連部材を突出し、立ち上がり壁部の上端面にミラーキャビネットの下面部の後端部を載設すると共に水栓関連部材の上記突出基部の水平上面をミラーキャビネットの下面部に当接したので、立ち上がり部の上下方向の下部や中央部が水跳ねにより濡れた場合に吐水部に邪魔されることなく容易に立ち上がり壁部の前面の水がかかりやすい下部や中央部を拭き取ることができ、また、洗髪をしたり、ボウル部で衣類等を手洗いしたり、ペットを洗ったりする際に吐水部が邪魔にならずに使用勝手がよくなり、また、吐水部が立ち上がり壁部とミラーキャビネットの下面部とのなすコーナ部を有効に利用して配設することで、収まりがよくなると共に、前方から見た際に吐水部が目立ち難くて外観がよくなり、しかも、水栓関連部材の少なくとも立ち上がり壁部の前面部の上端からの突出基部の上面を水平上面とし、該水平上面をミラーキャビネットの下面部に当接するので、水栓関連部材の上面に汚れが溜まることがなく、水栓関連部材の掃除が簡単にできる。
【発明を実施するための最良の形態】
【００１９】
以下、本発明を添付図面に示す実施形態に基いて説明する。
【００２０】
洗面化粧台５は、図１、図２に示すように、洗面キャビネット６と、ミラーキャビネット４とを組み合わせて構成してある。
【００２１】
洗面キャビネット６は下部キャビネット７の上開口部に洗面ボウル８を載設して取付けることで構成してある。
【００２２】
洗面ボウル８は図５に示すように合成樹脂や陶器成の一体成形物で、ボウル部１の後端部にボウル部１と一体に立ち上がり壁部２を上方に向けて突出することで構成してある。
【００２３】
ボウル部１は、上面の前端部、左右端部がそれぞれ巾の狭い平面視コ字状をした外周縁部９となっており、平面視で上記外周縁部９と立ち上がり壁部２に囲まれた部分が下方に凹設してあり、該凹設部１０は、平面視で底部１１となる領域と、傾斜前内壁１２となる領域と、棚部１３となる領域とに区分けされる。
【００２４】
底部１１となる領域は凹設部１０の過半を占めるもので、凹設部１０の中央部の全巾及び後部の左右隅部分を除く部分に底部１１が形成され、この底部１１の後端部の左右方向の中間部に排水部１４を設け、更に、この底部１１は僅かに排水部１４側に向けて下り傾斜しているが、物を置いた際に倒れないように略水平となっている。
【００２５】
凹設部１０の前部は左右方向の全巾にわたって上記略水平となった底部の前端から始まって外周縁部９の前端部にかけて前に行くほど上となるように上り傾斜した傾斜前内壁１２となっていている。
【００２６】
棚部１３は凹設部１０の後部の左右両側の隅部に設けられて平面視略直角三角形状をしており、棚部１３の上面は外周縁部９よりも少し下方に下がった位置となっていて濡れた小物を載置することができるようになっている。
【００２７】
凹設部１０の後内壁１５は底部１１の後端縁及び棚部１３の後端縁から上方に垂直に突出してあって、少なくとも前面が垂直面となっている。
【００２８】
立ち上がり壁部２はボウル部１の後端部から左右方向の全巾にわたって上方に向けて一体に突出してあり、立ち上がり壁部２の前面は垂直面で上記ボウル部１の凹設部１０の後内壁１５の前面と面一に連続している。ここで、後内壁１５の前面を上ほど僅かに後ろとなるように僅かに後傾の面としてもよく、この場合は、立ち上がり壁部２の前面も僅かに後傾の面として立ち上がり壁部２の前面と後内壁１５の前面と面一に連続させる。
【００２９】
立ち上がり壁部２の背面部には下方及び背方に開口する凹所１６が設けてあり、立ち上がり壁部２の上端面は水平面となっていて後述のミラーキャビネット４の下面部の後端部を載設する部分となっている。
【００３０】
立ち上がり壁部２の前面部の上端には水栓関連部材Ａが前方に突出するように設けられる。この水栓関連部材Ａの上面は立ち上がり壁部２の上端面と同一高さとなっている。
【００３１】
水栓関連部材Ａとしては吐水部１Ａと、吐水部１Ａからの吐水や止水の操作等を行うための吐水・止水操作部２Ａとがある。水栓関連部材Ａの立ち上がり壁部２から突出した部分のうち少なくとも突出基部Ｂの上面は後述のように水平面よりなる水平上面２０となっている。
【００３２】
図４には立ち上がり壁部２の前面部の上端に水栓関連部材Ａとしての吐水部１Ａを取付けた例が示してあり、立ち上がり壁部２の上端に設けた孔２２部分に吐水部１Ａを立ち上がり壁部２の前面部の上端より前方に突出するように取付けてあり、この吐水部１Ａには立ち上がり壁部２の背面部の凹所１６に配設された配管が接続される。
【００３３】
吐水部１Ａの立ち上がり壁部２の前面から前方に突出した部分の外郭をなす外郭部１９は図６に示すように外郭部１９は前端部を除いて縦断面が四角形状をしており、また、外郭部１９の上面は突出基部Ｂ（外郭部１９の後部）の上面だけでなく全面が水平上面２０となっており、外郭部１９は下面が前端部を除いて前にいくほど上となるように上り傾斜した傾斜面となっており、外郭部１９の前端部が斜め前下方を向く吐出先端部２１となっており、吐出先端部２１は突出方向に対して鉛直な断面形状が円形をしている。この吐出先端部２１の下端は外郭部１９の後端の下端よりも上方に位置している。
【００３４】
吐水部１Ａの外郭部１９の水平上面２０は立ち上がり壁部２の上面と同じ高さとなっている。
【００３５】
斜め前下方を向いた吐出先端部２１の先端面に吐出口２７が設けてあって、この吐出口２７から斜め前下方に向けて吐水するようになっている。
【００３６】
吐出口２７から斜め前方に向けて吐水する吐水方向は、図９に示すように、ボウル部１の凹設部１０の底部１１の前端と上り傾斜した傾斜前内壁１２の後端との境界部分に吐水の中心が向かうように設定してあり、このように吐出口２７から出た吐水が凹設部１０の勾配の異なる２つの面の境界部分に当たることで、吐水を傾斜前内壁１２と底部１１とに沿って分散して流して広げることができ、これにより、吐水の水跳ねを効果的に抑制することができると共に、一方の面にのみ全吐水が流れることによる凹設部１０からの溢れを防止することができるようになっている。
【００３７】
また、図７に示すように立ち上がり壁部２の前面部の上端には更に水栓関連部材Ａとしての吐水・止水操作部２Ａが設けてある。この吐水・止水操作部２Ａは、立ち上がり壁部２の前面上端部に取付けた操作部本体５０と、立ち上がり壁部２の前面側において操作部本体５０に被せた外郭ケース５１と、外郭ケース５１の前面側に配置して上端部を操作部本体５０の前端部に取付けた操作レバー５２とで構成してあり、操作レバー５２を操作することで吐出口２７に連通する水路に設けた弁（図示せず）を操作して吐出口２７からの吐水、止水、吐水時における流量調整、及び湯温調整を行うようになっており、実施形態では操作レバー５２を前後方向に回動することで、吐水、止水と、吐水時における流量調整を行い、操作レバー５２を左右方向に回動することで湯温調整を行うようになっている。
【００３８】
上記吐水・止水操作部２Ａの立ち上がり壁部２の前面から突出した部分の突出基部Ｂである外郭ケース５１は上面が水平上面２０となり、また、両側面が垂直面、下面が半円状となっている、水平上面２０は立ち上がり壁部２の上端面と同一高さとなっている。また、操作レバー５２の下端部は外郭ケース５１の前面の下端より下方に突出している。
【００３９】
また、立ち上がり壁部２の前面から操作レバー５２の前端までの寸法は、立ち上がり壁部２の前面から吐水部１Ａの前端までの寸法と同じか短い寸法となっている。
【００４０】
ミラーキャビネット４は、ミラーキャビネット部２９の上部に照明部３０を設けて構成してある。ミラーキャビネット４は、キャビネット本体２８の上端部を除く大部分が収納用キャビネット部２８ａとなっており、上端部が照明用キャビネット部２８ｂとなっており、このキャビネット本体２８は合成樹脂の一体成形により形成してある。収納用キャビネット部２８ａの前面部にはミラー３２が開閉自在に取付けてあり、また、照明用キャビネット部３０の前面部には照明カバー３３が取付けてある。
【００４１】
ミラー３２は閉じた状態で収納用キャビネット部２８ａに設けた前方に開口した収納部３４を覆っており、ミラー３２を回動して開くことで、収納部３４を開口することができる。
【００４２】
照明用キャビネット部２８ｂには図１０に示すように前方に開口する照明用収納部３５が設けてあって、該照明用収納部３５にランプ３６を含む照明器具本体３７が収納される。該ランプ３６はミラー３２の前面よりも後方にずれた位置に位置している。照明用収納部３５の前面には照明カバー３３が着脱自在に取付けられ、該照明カバー３３の前面がミラー３２の前面と面一となっている。
【００４３】
照明カバー３３は図１０に示すように、キャビネット本体２８の前面部に着脱自在に取付けるカバー本体３８と、カバー本体３８に対して着脱自在に取付ける透明板３９とで構成してある。
【００４４】
カバー本体３８は全体が不透明で、図１０に示すように前面部の上部が前面上部カバー部４０となり、前面部の下部が下開口部４１となっており、下開口部４１の背部が斜め前下方に向けて下り傾斜した傾斜面部４８となっており、前面上部カバー部４０の下端部と傾斜面部４８との間が中開口部４３となっており、また、前面部の上端縁、左右側端縁、下端縁から背方に向けて上横片４４ａ、左右側片４４ｂ、下横片４４ｃよりなる外周枠部４４が一体に突設してあり、外周枠部４４の後端部に設けた係止部４５をキャビネット本体２８の前面部に設けた被係止部４６に着脱自在に係止することで、カバー本体３８をキャビネット本体２８に着脱自在に取付けてある。
【００４５】
透明板３９はカバー本体３８の上記中開口部４３部分に着脱自在に取付けるようになっており、透明板３９に設けた係合部４７をカバー本体３８に設けた被係合部４９に着脱自在に係合するようになっている。
【００４６】
透明板３９を中開口部４３に取付けた状態で中開口部４３を透明板３９で覆うようになっており、更に、取付け状態で透明板３９は後側程下となるように斜め後下方に下り傾斜した姿勢に取付けられる。
【００４７】
この斜め後下方に下り傾斜した透明板３９の上方位置に上記ランプ３６が位置するようになっており、ランプ３６からの光は透明板３９を介して下開口部４１から斜め前下方に向けて照射されることになる。
【００４８】
ここで、ランプ３６から照射された光の一部は透明板３９を通過して下開口部４１から直接下開口部４１から斜め前下方に向けて照射され、また、他の一部の光は透明板３９を通過して傾斜面部４８に反射されて下開口部４１から前方又は斜め前下方に照射され、更に、他の一部の光は不透明の前面上部カバー部４０、上横片４４ａに反射され、反射された光が透明板３９を通過して、傾斜面部４８に反射されて下開口部４１から前方又は斜め前下方に照射され、これにより、主として図１０のイで示す範囲で斜め前下方に照射されてミラー３２の前方位置を照らすようになっている。
【００４９】
したがって、照明カバー３３がミラー３２と面一となっていても、本発明においては照明カバー３３の斜め前下方であるミラー３２の前方位置を照明できることになる。
【００５０】
上記の構成のミラーキャビネット４は下端面部（キャビネット本体２８）の後端を、図１乃至図３に示すように、洗面キャビネット６の上部に設けた洗面ボウル８の後端部に一体に突設した立ち上がり壁部２の上端面に載設して、ミラーキャビネット４のキャビネット本体２８の背面部を建物の壁に固定する。
【００５１】
このようにミラーキャビネット４は下端面部の後端を立ち上がり壁部２の上端面に載設した状態で、立ち上がり壁部２の前面部の上端に設けた吐水部１Ａは、立ち上がり壁部２とミラーキャビネット４の下面部とのなすコーナ部分に位置することになり、また、吐水部１Ａの前端はミラーキャビネット４の前端よりも後方にずれて後退して位置している。
【００５２】
したがって、洗面化粧台５の前方に立っている使用者（この場合、使用者の顔の位置がミラー３２に対向した位置となっている）からは、立ち上がり壁部２とミラーキャビネット４の下面部とのなすコーナ部分に位置し且つミラーキャビネット４の前端よりも後方にずれて位置している吐水部１Ａが、ミラーキャビネット４の下端に隠れて目立ち難くなり、外観がすっきりしてよくなる。
【００５３】
また、立ち上がり壁部２の前面部の上端に設けた吐水・止水操作部２Ａの突出基部Ｂである外郭ケース５１も立ち上がり壁部２とミラーキャビネット４の下面部とのなすコーナ部分に位置し且つミラーキャビネット４の前端よりも後方にずれて位置しており、したがって、洗面化粧台５の前方に立っている使用者（この場合、使用者の顔の位置がミラー３２に対向した位置となっている）からは、外郭ケース５１がミラーキャビネット４の下端に隠れて目立ち難くなり、この点でも外観がすっきりしてよくなる。
【００５４】
ここで、図４、図８に示すように、吐水部１Ａの水平上面２０及び吐水・止水操作部２Ａの外郭ケース５１の水平上面２０がそれぞれはミラーキャビネット４の下面部に隙間なく当接するようになっており、ミラーキャビネット４の下面部の後端部を立ち上がり壁部２の上端面に載置してミラーキャビネット４のキャビネット本体２８の背面部を建物の壁に固定する際に、ミラーキャビネット４の下面部の後端部を立ち上がり壁部２の上端面に載置する際に同時に吐水部１Ａの水平上面２０及び、吐水・止水操作部２Ａの外郭ケース５１の水平上面２０にもミラーキャビネット４の下面部を載置することができ、ミラーキャビネット４の下面部を安定して位置決めした状態で支持することができ、この位置決め支持した状態でミラーキャビネット４のキャビネット本体２８の背面部を建物の壁に固定することができる。
【００５５】
また、吐水部１Ａの水平上面２０及び吐水・止水操作部２Ａの外郭ケース５１の水平上面２０がそれぞれはミラーキャビネット４の下面部に隙間なく当接することで、水平上面２０とミラーキャビネット４の下面部との間に隙間が生じることがなく、この部分に埃等が溜まることがなく、狭い隙間に溜まった埃を掃除する必要がなく、また、掃除するとしても縦面となった両側面と下面とを掃除するだけでよいので、掃除も簡単となる。
【００５６】
ところで、キャビネット本体２８は合成樹脂の成形品により構成してあるが、成形誤差等によりキャビネット本体２８の下面部が成形誤差により多少波打っていたり、傾いたりすることがある。したがって、立ち上がり壁部２の上端面にミラーキャビネット４の下面部を載置した際に上記吐水部１Ａの水平上面２０及び、吐水・止水操作部２Ａの外郭ケース５１の水平上面２０がミラーキャビネット４の下面に隙間なく密接しないことがある。この点を考慮して図３、図７に示すように水平上面２０に弾性シート５３を設け、該弾性シート５３を介して水平上面２０を図４、図８に示すようにミラーキャビネット４の下面に隙間なく密接するようにしてもよい。
【００５７】
上記のように、立ち上がり壁部２を上方に向けて突出し、該立ち上がり壁部２の前面部の上端に吐水部１Ａを設け、該吐水部１Ａの上端を立ち上がり壁部２の上端面と同一高さ又は僅かに低い位置に位置させてあるので、立ち上がり壁部２の前面の上下方向の下部、場合によっては中央部が水跳ね（吐水部１Ａからの吐水が物に当たって飛び散ることによる水跳ね、あるいは、顔を手で洗っている時などに手から水が飛び散ることによる水跳ね）により濡れることがあっても、立ち上がり壁部２の前面の下部や中央部の濡れた部分を拭く際に立ち上がり壁部２の前面に設けた吐水部１Ａに邪魔されることなく拭き取ることができる。また、吐水部が水跳ねにより濡れ難くて汚れが付着しにくくなり、したがって、吐水部１Ａの掃除をする頻度が少なくてよくなる。
【００５８】
また、吐水部１Ａが立ち上がり壁部２の前面上端とミラーキャビネット４の下面部とのなすコーナ部分に位置することになるので、洗髪をしたり、ボウル部で衣類等を手洗いしたり、ペットを洗ったりする際に吐水部１Ａが邪魔にならず、使い勝手がよくなる。
【図面の簡単な説明】
【００５９】
【図１】本発明の斜視図である。
【図２】（ａ）は同上の正面図であり、（ｂ）は同上の一部破断面図である。
【図３】同上の立ち上がり壁部の前面上端に固定吐水部を取付けた実施形態の断面図である。
【図４】同上の吐水部を取付けた立ち上がり部の上端面にミラーキャビネットの下面部の後端部を載置した例を示す断面図である。
【図５】同上の洗面ボウルを示し、（ａ）は平面図であり、（ｂ）は正面図であり、（ｃ）は側面図である。
【図６】同上の吐水部の外郭部を示し、（ａ）は斜視図であり、（ｂ）は断面図であり、（ｃ）は正面図である。
【図７】同上の立ち上がり壁部の前面上端に吐水・止水操作部を取付けた実施形態の断面図である。
【図８】同上の立ち上がり部の上端面にミラーキャビネットの下面部の後端部を載置した状態における吐水・止水操作部部分の断面図である。
【図９】同上の吐水部からボウル部への吐水方向を示す説明のための断面図である。
【図１０】同上のミラーキャビネットの上部の断面図である。
【符号の説明】
【００６０】
１  ボウル部
２  立ち上がり壁部
３  吐水部
４  ミラーキャビネット
２０  水平上面
５３  弾性シート
Ａ  水栓関連部材
１Ａ  吐水部
２Ａ  吐水・止水操作部
Ｂ  突出基部
【図１】
0004835559.tif 000002
【図２】
0004835559.tif 000003
【図３】
0004835559.tif 000004
【図４】
0004835559.tif 000005
【図５】
0004835559.tif 000006
【図６】
0004835559.tif 000007
【図７】
0004835559.tif 000008
【図８】
0004835559.tif 000009
【図９】
0004835559.tif 000010
【図１０】
0004835559.tif 000011